(57)【要約】      （修正有）【課題】傘本体を含むＡＰＰに基づくスマート傘を提供する。【解決手段】傘本体にデータ採集モジュール５１、電源モジュール５２、マイクロプロセッシングモジュール５３及び短距離無線通信モジュール５４が搭載され、データ採集モジュール、電源モジュール及び短距離無線通信モジュールのいずれもがマイクロプロセッシングモジュールと接続され、更に短距離無線通信機能を有する電子機器６を含み、電子機器にはＡＰＰが搭載され、ＡＰＰが搭載された電子機器は傘本体から送信されたデータを読み取って表示する機能を有する。採集データが短距離無線通信モジュールによりＡＰＰが搭載された電子機器に送信され、ＡＰＰにより表示されるので、スマートフォンやウェアラブル機器の利用率を向上させ、スマート傘の生産製造コストを大きく低下させ、スマート傘とりわけ把持用ハンドルの大きさを効果的に抑制でき、ユーザの使い心地を向上させ、消費者の購買意欲を向上させ、市場の見通しは非常に明るい。【選択図】図３
0003205512.tif 000002
【実用新案登録請求の範囲】
【請求項１】
傘柄、ハンドル及び傘布を備える傘本体を含む、ＡＰＰに基づくスマート傘であって、
前記傘本体にはデータ採集モジュール、電源モジュール、マイクロプロセッシングモジュール及び短距離無線通信モジュールが搭載され、前記データ採集モジュール、前記電源モジュール及び前記短距離無線通信モジュールのいずれもが前記マイクロプロセッシングモジュールと接続され、
さらに短距離無線通信機能を有する電子機器を含み、前記電子機器は前記短距離無線通信モジュールによって送信されたデータを受信し、前記電子機器にはＡＰＰが搭載され、前記ＡＰＰが搭載された電子機器は前記傘本体から送信されたデータを読み取って表示する機能を有する
ことを特徴とするＡＰＰに基づくスマート傘。
【請求項２】
請求項１に記載のＡＰＰに基づくスマート傘であって、
前記ＡＰＰが搭載された電子機器は警報機能を有し、前記データ採集モジュールによって採集された値が閾値より低い又は高いとき、前記電子機器はベル音、振動、ランプ発光のうちの一つ又は複数の結合による警報を発し、前記閾値はＡＰＰデータベース中の初期値である又はＡＰＰ操作インターフェースから手動で入力して設定されたものである
ことを特徴とするＡＰＰに基づくスマート傘。
【請求項３】
請求項２に記載のＡＰＰに基づくスマート傘であって、
前記データ採集モジュールによって紫外線強度が採集されるとき、前記ＡＰＰが搭載された電子機器は紫外線防護傘防護効果算出機能を有し且つ算出結果に基づいて防御提案を提示する
ことを特徴とするＡＰＰに基づくスマート傘。
【請求項４】
請求項３に記載のＡＰＰに基づくスマート傘であって、
前記ＡＰＰが搭載された電子機器はさらに共有機能を有し、前記データ採集モジュールによって採集された値及び算出された紫外線防御傘防護効果をソーシャルソフトウェアで共有する
ことを特徴とするＡＰＰに基づくスマート傘。
【請求項５】
請求項１に記載のＡＰＰに基づくスマート傘であって、
前記ＡＰＰが搭載された電子機器はさらに紛失防止機能を有し、前記ＡＰＰが搭載された電子機器は前記傘本体の前記短距離無線通信モジュールによるリアルタイムＲＳＳＩ値を受信して前記傘本体と前記電子機器との距離を判定し、その距離が設定より大きいとき、前記電子機器はベル音、振動、ランプ発光のうちの一つ又は複数の結合による警報を発する
ことを特徴とするＡＰＰに基づくスマート傘。
【請求項６】
請求項１に記載のＡＰＰに基づくスマート傘であって、
前記傘本体にはさらに位置測定モジュールが搭載され、前記位置測定モジュールは前記マイクロプロセッシングモジュールと接続され、前記位置測定モジュールはＧＰＳ位置測定システムチップであり、前記位置測定モジュールによってその所在位置がリアルタイムに測定され、且つ位置記録が前記短距離無線通信モジュールによって前記ＡＰＰが搭載された電子機器に送信され、ユーザは受信された最後の前記傘本体の前記位置記録を呼び出すことができる
ことを特徴とするＡＰＰに基づくスマート傘。
【請求項７】
請求項１に記載のＡＰＰに基づくスマート傘であって、
前記ハンドルには空室が設けられ、
前記データ採集モジュール、前記電源モジュール、前記マイクロプロセッシングモジュール及び前記短距離無線通信モジュールは同一集合モジュールに整合して搭載され、
前記集合モジュールは前記空室に収納され、前記集合モジュールに対応する周面の前記ハンドルの側壁は透明である
ことを特徴とするＡＰＰに基づくスマート傘。
【請求項８】
請求項１に記載のＡＰＰに基づくスマート傘であって、
前記データ採集モジュールには紫外線センサ、温度センサ、湿度センサ及びＰＭ２．５センサのうちの１つ又は複数が含まれる
ことを特徴とするＡＰＰに基づくスマート傘。
【請求項９】
請求項１に記載のＡＰＰに基づくスマート傘であって、
前記電子機器は携帯電話、ウェアラブル機器、タブレットコンピュータ、ラップトップコンピュータ又はディスクトップコンピュータであり、前記短距離無線通信モジュールと前記電子機器との間のデータ伝送はＢｌｕｅｔｏｏｔｈ、Ｚｉｇｂｅｅ又はＷｉＦｉによって行われる
ことを特徴とするＡＰＰに基づくスマート傘。
【請求項１０】
請求項１に記載のＡＰＰに基づくスマート傘であって、
前記電源モジュールの供給電源は、リチウム電池、グラフェン（ｇｒａｐｈｅｎｅ）電池又は太陽光電池である
ことを特徴とするＡＰＰに基づくスマート傘。
【考案の詳細な説明】
【技術分野】
【０００１】
本考案は、スマート傘に関し、特にＡＰＰ（アプリケーション）に基づくスマート傘に関する。
【背景技術】
【０００２】
強烈な紫外線は皮膚に大きなダメージを与えるが、現在市場においてこれを防御するものとして主に紫外線防御傘が用いられ、紫外線防御傘の防御効果は限られている。従って、人々が現在の紫外線環境に応じた調整ができるように、能動的に紫外線指数を監視し能動的に注意を喚起する機能が強く求められる。中国特許（公告番号ＣＮ２０１９６７８８９Ｕ、公告日２０１１年９月１４日）には、傘本体、傘頂紫外線センサ、傘底紫外線センサ、電源モジュールを有する処理ユニット、表示モジュールを含み、センサによって検出された紫外線強度信号が電源処理モジュールを有する処理ユニットに伝送されて処理され、処理された信号が表示モジュールによって表示され、人々がリアルタイムに現在の傘内外の紫外線強度情報を知り得る紫外線強度検出傘が開示されている。また、中国特許（公告番号ＣＮ２０３４２４４２５Ｕ、公告日２０１４年２月１２日）には、制御チップ、無線受信モジュール、センサモジュール、ＬＣＤ表示モジュール、スピーカー、キーパネル及び電源モジュールを内蔵し、傘竿内に搭載されて、リアルタイムに現在の空気及び紫外線等の環境パラメータを監視し得るとともに、有効に位置を測定追跡でき、応急システムを有する傘用スマート集成器が開示されている。２つの特許文献は、いずれも傘上に紫外線センサが搭載され、傘上の表示パネルを用いて紫外線指数が表示されるため、ハンドル又は傘竿には表示パネルを搭載するためのスペースを予め残しておかなければならない。そのため、ハンドル又はハンドルの体積が大きく増大し、ユーザの使い心地に大きな影響を及ぼすとともに、傘全体の原材料コスト及び加工コストの大幅な増加にもつながる。
【考案の概要】
【０００３】
本考案は、上記課題を解決し、構成が簡単で、製造コストが低く、ユーザの使い心地がよいＡＰＰに基づくスマート傘を提供することを目的とする。
【０００４】
上記目的を実現するために、本考案に係るＡＰＰに基づくスマート傘は、傘柄、ハンドル及び傘布を備える傘本体を含む、ＡＰＰに基づくスマート傘であって、前記傘本体にはデータ採集モジュール、電源モジュール、マイクロプロセッシングモジュール及び短距離無線通信モジュールが搭載され、前記データ採集モジュール、前記電源モジュール及び前記短距離無線通信モジュールのいずれもが前記マイクロプロセッシングモジュールと接続され、さらに短距離無線通信機能を有する電子機器を含み、前記電子機器は前記短距離無線通信モジュールによって送信されたデータを受信し、前記電子機器にはＡＰＰが搭載され、前記ＡＰＰが搭載された電子機器は前記傘本体から送信されたデータを読み取って表示する機能を有する。
【０００５】
また、好ましくは、前記ＡＰＰが搭載された電子機器は警報機能を有し、前記データ採集モジュールによって採集された値が閾値より低い又は高いとき、前記電子機器はベル音、振動、ランプ発光のうちの一つ又は複数の結合による警報を発し、前記閾値はＡＰＰデータベース中の初期値である又はＡＰＰ操作インターフェースから手動で入力して設定されたものである。
【０００６】
また、好ましくは、前記データ採集モジュールによって紫外線強度が採集されるとき、前記ＡＰＰが搭載された電子機器は紫外線防護傘防護効果算出機能を有し且つ算出結果に基づいて防御提案を提示する。
【０００７】
また、好ましくは、前記ＡＰＰが搭載された電子機器はさらに共有機能を有し、前記データ採集モジュールによって採集された値及び算出された紫外線防御傘防護効果をソーシャルソフトウェアで共有する。
【０００８】
また、好ましくは、前記ＡＰＰが搭載された電子機器はさらに紛失防止機能を有し、前記ＡＰＰが搭載された電子機器は前記傘本体の前記短距離無線通信モジュールによるリアルタイムＲＳＳＩ値を受信して前記傘本体と前記電子機器との距離を判定し、その距離が設定より大きいとき、前記電子機器はベル音、振動、ランプ発光のうちの一つ又は複数の結合による警報を発する。
【０００９】
また、好ましくは、前記傘本体にはさらに位置測定モジュールが搭載され、前記位置測定モジュールは前記マイクロプロセッシングモジュールと接続され、前記位置測定モジュールはＧＰＳ位置測定システムチップであり、前記位置測定モジュールによってその所在位置がリアルタイムに測定され、且つ位置記録が前記短距離無線通信モジュールによって前記ＡＰＰが搭載された電子機器に送信され、ユーザは受信された最後の前記傘本体の前記位置記録を呼び出すことができる。
【００１０】
また、好ましくは、前記ハンドルには空室が設けられ、前記データ採集モジュール、前記電源モジュール、前記マイクロプロセッシングモジュール及び前記短距離無線通信モジュールは同一集合モジュールに整合して搭載され、前記集合モジュールは前記空室に収納され、前記集合モジュールに対応する周面の前記ハンドルの側壁は透明である。
【００１１】
また、好ましくは、前記データ採集モジュールには紫外線センサ、温度センサ、湿度センサ及びＰＭ２．５センサのうちの１つ又は複数が含まれる。
【００１２】
また、好ましくは、前記電子機器は携帯電話、ウェアラブル機器、タブレットコンピュータ、ラップトップコンピュータ又はディスクトップコンピュータであり、前記短距離無線通信モジュールと前記電子機器との間のデータ伝送はＢｌｕｅｔｏｏｔｈ（登録商標）、Ｚｉｇｂｅｅ（登録商標）又はＷｉＦｉ（登録商標）によって行われる。
【００１３】
また、好ましくは、前記電源モジュールの供給電源は、リチウム電池、グラフェン（ｇｒａｐｈｅｎｅ）電池又は太陽光電池である。
【００１４】
また、好ましくは、前記傘本体にはさらに位置測定モジュールが搭載され、前記位置測定モジュールは前記マイクロプロセッシングモジュールと接続され、前記位置測定モジュールはＧＰＳ位置測定システムチップである。
【００１５】
上記技術方案を用いることによって、本考案は以下の有益な効果が得られる。本考案は、採集データが短距離無線通信モジュールによって直接にＡＰＰが搭載された電子機器に送信され、ＡＰＰによってデータが表示されるので、電子機器とりわけスマートフォンやウェアラブル機器の利用率を向上させるとともに、スマート傘の生産及び製造コストを大きく低下させるだけでなく、スマート傘とりわけ把持用のハンドルの大きさを効果的に大幅に抑制でき、ユーザの使い心地を向上させて、消費者の購買意欲を向上させるため、市場の見通しは非常に明るい。
【図面の簡単な説明】
【００１６】
【図１】実施形態１の構成を示す図である。
【図２】実施形態２の構成を示す図である。
【図３】本考案の構成を示す図である。
【考案を実施するための形態】
【００１７】
以下、図面及び具体的な実施形態に基づいて、本考案についてさらに説明する。
【００１８】
＜実施形態１＞
図１及び図３に示すように、ＡＰＰに基づくスマート傘は、傘柄１と、ハンドル２と、傘布３とを備える傘本体を含む。ハンドル２内には空室２１が設けられ、ハンドル２の底には取り外し可能な固定装置２２が設けられ、集合モジュール４が空室２１内に収納され、固定装置２２がハンドル２と係合し、集合モジュール４の周面におけるハンドル２の側壁は透明である。集合モジュール４は、データ採集モジュール５１、電源モジュール５２、マイクロプロセッシングモジュール５３及び短距離無線通信モジュール５４を含む。上記データ採集モジュール５１、電源モジュール５２、短距離無線通信モジュール５４のいずれがマイクロプロセッシングモジュール５３と接続される。上記データ採集モジュール５１は紫外線センサを含み、紫外線センサにはＴＰ−６半導体紫外線センサを用いることができる。ＴＰ−６半導体紫外線センサは、ｐｎヘテロ接合フォトダイオードの一種であり、窒化ガリウムを用いたワイドバンドギャップ半導体材料が用いられ、可視光を吸収しないため、可視光による干渉を受けにくい特性を有する。データ採集モジュール５１は、さらにＡ／Ｄ変換回路を含む。上記電源モジュール５２は、ボタン型リチウム電池である。ボタン型リチウム電池は、二次電池であり、繰り返し充電、放電することができる。上記電源モジュール５２は、さらに増幅、安定化等の周辺回路を含む。マイクロプロセッシングモジュール５３は、マイクロコントローラおよびメモリを含む。現在市場において、スマートフォンやウェアラブル機器等の電子機器６は、通常いずれもＢｌｕｅｔｏｏｔｈ機能を有し、技術も成熟しているので、コストが比較的に低い。従って、本実施形態は、短距離無線通信モジュール５４にＢｌｕｅｔｏｏｔｈモジュールを用いることで、使用範囲を有効に広められるとともに、製造生産コストを有効に抑制することができる。
【００１９】
さらに、スマート傘と通信する電子機器６を含み、電子機器６はＢｌｕｅｔｏｏｔｈ機能を有するスマートフォンやウェアラブル機器である。電子機器６にはＡＰＰソフトウェアが搭載され、警報機能を有する。傘本体によって送信された紫外線値がＡＰＰデータベース中の閾値より低い又は高いとき、ＡＰＰはスマートフォン又はウェアラブル機器のコアプロセッサを用いて機器がベル音を発するように制御して注意を喚起する。この閾値は、ＡＰＰ自体が保有するもの即ちプログラマが予め設定してＡＰＰデータベースに格納するものであってもよい。または、ユーザ自らがＡＰＰ操作インターフェースから設定してデータベースに追加してもよい。
【００２０】
本実施形態は、実際の使用の際に、データ採集モジュール５１中の紫外線センサが紫外線照射を受けることによって、電圧値が変化し、Ａ／Ｄ変換回路によってデジタル信号に変換されてマイクロプロセッシングモジュール５３に送信され、マイクロプロセッシングモジュール５３によって処理、エンコード、暗号化される等されて、Ｂｌｕｅｔｏｏｔｈモジュールによってスマートフォンやウェアラブル機器に送信される。最後に、スマートフォンやウェアラブル機器によってその内蔵のＡＰＰソフトウェアを用いて信号をデコードする等の処理をして値の形式で紫外線値を表示する。この過程では、さらにこの値をＡＰＰデータベース中の閾値と比較して、ベル音の警報を発するか否かを決定する。
【００２１】
＜実施形態２＞
実施形態２の構成は、ＡＰＰソフトウェアが搭載された電子機器に紫外線防御傘防御効果算出機能が追加された点以外は、実施形態１の構成と同様である。ハンドル２を外側に向けて傾斜するようにして直接太陽光に当たるようにすると、現在の室外の紫外線強度Ｑ１を測定することができる。一方、ハンドル２を傘布３の下方に隠れるようにすると、紫外線防御傘に遮蔽された状態の紫外線強度Ｑ２となる。Ｑ１−Ｑ２が紫外線防御傘による紫外線遮蔽値である。ＡＰＰが搭載された電子機器による紫外線防御傘防御効果の測定には、能動方式と受動方式の２つの方式がある。能動方式は、ＡＰＰ操作インターフェースから間隔時間を設定し、間隔時間の始点及び終点の２つの時点の紫外線強度値をＱ１、Ｑ２とするもので、一方から他方を引いたものが所要の結果となり、ＡＰＰ作業インターフェースに表示される。受動方式は、ユーザが手動でＡＰＰを操作して２つの時点においてそれぞれクリックして測定して２つの紫外線強度値を得るもので、一方から他方を引いたものが所要の結果となる。上記２つの隣接の値の測定の前後順番は限定されるものではなく、算出されたプラスの値又はマイナスの値はＡＰＰによって自動的に一括してプラスの値に変換される。
【００２２】
＜実施形態３＞
図２及び図３に示すように、本実施形態では集合モジュール４の回路構成は実施形態１と同様である。一方、本実施形態では集合モジュール４はハンドル２の側壁に配置され、固定装置２２もハンドルの側壁に配置される。また、データ採集モジュール５１は、紫外線センサ以外に、さらに温湿度センサを含む。温湿度センサには、ＤＨＴ１１が用いられる。ＤＨＴ１１は、校正済デジタル信号出力の温湿度複合センサである。
【００２３】
＜実施形態４＞
本実施形態は、実施形態３をベースに、さらに気体センサ又はＰＭ２．５センサを追加したものである。気体センサには、ＭＱ１３５が用いられる。ＭＱ１３５には、センシング材料として清潔空気における導電率が低い酸化スズ（ＳｎＯ２）が用いられる。センサが置かれた環境に汚染気体が存在する場合、センサの導電率は空気中の汚染気体の濃度の増加に応じて増大する。ＰＭ２．５にはＤＮ７Ｃ３ＪＡ００１が用いられてもよい。この検出モジュールは、ＰＭ２．５及びこれよりもさらに大きい粒子状物質を検出する機能を有し、検出時間も短い。
【００２４】
＜実施形態５＞
本実施形態は、実施形態１〜４をベースにして、スマート傘にさらに紛失防止機能及び位置測定機能を備えたものである。ＡＰＰが搭載された電子機器は、傘本体の短距離無線通信モジュール５４によるリアルタイムＲＳＳＩ値を受信して、傘本体と電子機器５との距離を判定する。その距離が設定より大きいとき、ＡＰＰは電子機器５のコアプロセッシング装置を用いてベル音、振動、ランプ発光のうちの一つ又は複数の結合による警報を発するようにする。
【００２５】
実施形態１〜４に係る集合モジュール４においてマイクロプロセッシングモジュール５３は、さらに位置測定モジュール５４（ＧＰＳ位置測定システムチップ）と結合され、位置測定モジュール５４によってリアルタイムに傘本体の位置が測定され、当該位置記録がマイクロプロセッシングモジュール５３に送信され、マイクロプロセッシングモジュール５３によって暗号化等がされてから短距離無線通信モジュール５４によって電子機器に送信され、電子機器によって受信されてＡＰＰの位置記録データベースに格納される。ユーザは傘が紛失されたことに気付いたときは、ＡＰＰ操作インターフェースから操作して位置記録データベース中の直近の位置記録を呼び出すことによって、簡便迅速に傘を取り戻すことができる。集合モジュール４に位置測定モジュール５４を搭載しなくてもよいことは言うまでもない。この場合、傘本体の位置記録データの採集は、電気機器自体が有する位置測定機能によって測定される。すなわち、電子機器と傘本体とが相互通信する際に、電子機器は現在ユーザ所在位置を時々ＡＰＰの位置記録データに格納する。両者の通信が消えると、電子機器は即座に位置記録データベースの更新を終結する。ただし、この方式が採用された場合、傘の位置は一定の範囲に縮小されるが、正確な位置測定はできない。
【００２６】
上記すべての実施形態に係る電源充電方式には、有線充電、無線充電又は太陽光充電等の多くの方式を用いることができる。太陽光充電方式を採用する場合、電源モジュール５２中の供給電源は集合モジュール４中に全部集合することができず、傘布３の上方に太陽光電池パネルを配置し、太陽光電池パネルを集合モジュール４中の部分である電源モジュール５２と接続する。太陽光電池パネルは、各モジュールに直接電源を供給するようにしてもよいし、蓄積電源に蓄積してから各モジュールに電源を供給してもよい。
【００２７】
上記すべての実施形態に係るＡＰＰが搭載された電子機器は、共有機能を有してもよい。Ｗｅｃｈａｔ（登録商標）、ＱＱ（登録商標）、マイクロブログ等のソーシャルソフトウェアと繋いで、関連結果を語句に整合設定して、Ｗｅｃｈａｔ等のソーシャルソフトウェアで自慢することができる。
上記すべての実施形態に係る短距離無線通信モジュールと電子機器との間のデータ伝送は、ＢｌｕｅＴｏｏｔｈ以外に、Ｚｉｇｂｅｅ、ＷｉＦｉ等を用いてもよい。
以上の記載は、本考案の最適な実施形態に過ぎず、本考案の範囲を限定するものではない。本考案の請求の範囲に対して行われた均等の変更や修飾は、いずれも本考案の範囲に含まれる。
【符号の説明】
【００２８】
１              傘柄
２              ハンドル
２１            空室
２２            固定装置
３              傘布
４              集合モジュール
５１            データ採集モジュール
５２            電源モジュール
５３            マイクロプロセッシングモジュール
５４            短距離無線通信モジュール
５５            位置測定モジュール
６              電子機器
【図１】
0003205512.tif 000003
【図２】
0003205512.tif 000004
【図３】
0003205512.tif 000005